(57)【要約】【課題】スラットの昇降性能を向上させた横型ブラインドを提供する。【解決手段】本発明の横型ブラインドは、ヘッドボックス１の長手方向における複数個所に配設して吊下される一対のラダーコード７Ｌ，７Ｍ，７Ｒと、一対のラダーコード７Ｌ，７Ｍ，７Ｒ間に所定間隔で接続された横糸７ａ，７ｂによってそれぞれ支持される複数段のスラット４と、一対のラダーコード７Ｌ，７Ｍ，７Ｒの近傍位置でヘッドボックス１から垂下される複数の昇降コード６Ｌ，６Ｍ，６Ｒとを備える。スラット４の左右両端近傍でそれぞれヘッドボックス１から垂下される昇降コード６Ｌ，６Ｒは、各スラット４における一縁部近傍に設けられた挿通孔４ａ（又は切欠き４ｂ）に挿通して垂下され、上昇時に回動した各スラット４に対して低摩擦となるよう、ヘッドボックス１からボトムレール８に向けての垂下位置が設定されている。【選択図】図１
2016211338.tif 000002
【特許請求の範囲】
【請求項１】
ラダーコードに吊下支持された複数段のスラットを複数の昇降コードを用いて昇降させる横型ブラインドであって、
ヘッドボックスから垂下される複数の昇降コードのうち少なくとも２つの昇降コードは、当該複数段のスラットの各々における一縁部近傍に設けられた挿通孔又は切欠きに挿通して垂下され、上昇時に回動した各スラットに対して低摩擦となるよう、前記ヘッドボックスからボトムレールに向けての垂下位置が設定されていることを特徴とする横型ブラインド。
【請求項２】
前記少なくとも２つの昇降コードは、上昇時に回動した各スラットに対して低摩擦となる侵入角度で最上段のスラットに向けて垂下されていることを特徴とする、請求項１に記載の横型ブラインド。
【請求項３】
前記少なくとも２つの昇降コードは、前記ボトムレールの上面を経て取着されていることを特徴とする、請求項１又は２に記載の横型ブラインド。
【請求項４】
前記複数段のスラットは厚みのある平板状の硬質材料からなり、一対のラダーコード間に所定間隔で接続され横糸上に載置されていることを特徴とする、請求項１から３のいずれか一項に記載の横型ブラインド。
【請求項５】
前記挿通孔又は切欠きは深さ方向にテーパが設けられていることを特徴とする、請求項４に記載の横型ブラインド。
【請求項６】
前記テーパは、降下時に回動される各スラットに対して、該挿通孔又は切欠きに挿通される昇降コードの挿通性を維持するよう傾斜していることを特徴とする、請求項５に記載の横型ブラインド。
【請求項７】
前記複数の昇降コードは、それぞれの当該昇降コードの巻取軸の室外側周面から前記巻取軸の下方に設けられた垂下部材の室内側周面に当接して案内されて、前記ヘッドボックスから垂下されていることを特徴とする、請求項１から６のいずれか一項に記載の横型ブラインド。
【発明の詳細な説明】
【技術分野】
【０００１】
本発明は、ラダーコードに吊下支持された複数段のスラットを複数の昇降コードを用いて昇降させる横型ブラインドに関する。
【背景技術】
【０００２】
横型ブラインドは、ヘッドボックスから吊り下げられるラダーコードに支持された複数段のスラットを複数の昇降コードを用いて昇降させることができ、更にはラダーコードを操作してスラットをチルトさせることによって、室内に取り込む日射量の調整が可能となっている。
【０００３】
例えば、ラダーコードの下端にボトムレールが配置され、このボトムレールに取着された昇降コードをヘッドボックス内への引き込み及びヘッドボックスからの引き出しを行うことによって、ボトムレールを昇降させることによりスラットを昇降させることができる。
【０００４】
この横型ブラインドとして、スラットの昇降動作とは無関係に、スラットの前後方向の各縁部に昇降コードを屈曲させて垂下する構成が開示されている（例えば、特許文献１参照）。
【先行技術文献】
【特許文献】
【０００５】
【特許文献１】特開２０１４−６２４４５号公報
【発明の概要】
【発明が解決しようとする課題】
【０００６】
特許文献１における横型ブラインドでは、スラットの前後でいずれも昇降コードを屈曲して垂下しており、スラットの回動時の遮蔽性の向上に寄与させているが、回動したスラットに対する昇降コードの挿通性が考慮されておらず、例えばスラットの上昇時や下降時に昇降コードとスラットとの間で摩擦抵抗が大きくなり引っ掛かりが生じてしまい、スラットのバタツキが目立つことがある。
【０００７】
例えば木製等の硬質材料からなるスラットを利用する際に、スラットを昇降させると、昇降コードとスラットとの間で摩擦による抵抗が大きくなり引っかかりが生じやすい。
【０００８】
また、特許文献１における横型ブラインドでは、各スラットに切欠きを設け、この切欠きに昇降コードを係合させて垂下させているが、このような切欠きを用いる場合でも、昇降コードとスラットとの間で摩擦による抵抗が生じうる。
【０００９】
よって、スラットの昇降性能の向上、特にはスラットの上昇時のバタツキを抑え、動的意匠性を向上させる技法が望まれる。
【００１０】
本発明は、上述の問題に鑑みて、スラットの昇降性能を向上させた横型ブラインドを提供することにある。
【課題を解決するための手段】
【００１１】
本発明の横型ブラインドは、ラダーコードに吊下支持された複数段のスラットを複数の昇降コードを用いて昇降させる横型ブラインドであって、ヘッドボックスから垂下される複数の昇降コードのうち少なくとも２つの昇降コードは、当該複数段のスラットの各々における一縁部近傍に設けられた挿通孔又は切欠きに挿通して垂下され、上昇時に回動した各スラットに対して低摩擦となるよう、前記ヘッドボックスからボトムレールに向けての垂下位置が設定されていることを特徴とする。
【００１２】
また、本発明の横型ブラインドにおいて、前記少なくとも２つの昇降コードは、上昇時に回動した各スラットに対して低摩擦となる侵入角度で最上段のスラットに向けて垂下されていることを特徴とする。
【００１３】
また、本発明の横型ブラインドにおいて、前記少なくとも２つの昇降コードは、前記ボトムレールの上面を経て取着されていることを特徴とする。
【００１４】
また、本発明の横型ブラインドにおいて、前記複数段のスラットは厚みのある平板状の硬質材料からなり、一対のラダーコード間に所定間隔で接続され横糸上に載置されていることを特徴とする。
【００１５】
また、本発明の横型ブラインドにおいて、前記挿通孔又は切欠きは深さ方向にテーパが設けられていることを特徴とする。
【００１６】
また、本発明の横型ブラインドにおいて、前記テーパは、降下時に回動される各スラットに対して、該挿通孔又は切欠きに挿通される昇降コードの挿通性を維持するよう傾斜していることを特徴とする。
【００１７】
また、本発明の横型ブラインドにおいて、前記複数の昇降コードは、それぞれの当該昇降コードの巻取軸の室外側周面から前記巻取軸の下方に設けられた垂下部材の室内側周面に当接して案内されて、前記ヘッドボックスから垂下されていることを特徴とする。
【発明の効果】
【００１８】
本発明に係る横型ブラインドによれば、スラットの昇降性能を向上させることができる。
【図面の簡単な説明】
【００１９】
【図１】本発明による一実施形態の横型ブラインドの概略構成を示す斜視図である。
【図２】本発明による一実施形態の横型ブラインドにおけるスラットの平面図である。
【図３】本発明による一実施形態の横型ブラインドの部分的な概略構成を示す側面図である。
【図４】（ａ），（ｂ），（ｃ）は、それぞれ本発明による一実施形態の横型ブラインドにおける水平状態時、下降時及び上昇時のスラットの状態を示す説明図である。
【図５】（ａ），（ｂ）は、それぞれ本発明による一実施形態の横型ブラインドにおける一実施例のスラットの長孔状の挿通孔の形状を説明する部分的な平面図とその断面図であり、（ｃ）は、一実施例のスラットに対する昇降コードの垂下を説明する部分的な側面断面図である。
【図６】（ａ），（ｂ）は、それぞれ本発明による一実施形態の横型ブラインドにおける一実施例のスラットの昇降時の動作を示す側面断面図である。
【図７】（ａ），（ｂ）は、それぞれ本発明による一実施形態の横型ブラインドにおけるバタツキ抑制効果を説明する側面断面図と、その比較例である。
【図８】（ａ），（ｂ）は、それぞれ本発明による一実施形態の横型ブラインドにおける他の実施例のスラットの上昇時の動作を示す側面断面図である。
【発明を実施するための形態】
【００２０】
以下、図面を参照して、本発明による各実施形態の横型ブラインドを説明する。尚、本願明細書中、図１に示す横型ブラインドの斜視図に対して、図示上方及び図示下方をスラットの吊り下げ方向に準じてそれぞれ上方向（又は上側）及び下方向（又は下側）と定義し、図示左方向を横型ブラインドの左側、図示右方向を横型ブラインドの右側と定義する。また、図１の斜視図を視認する側を前側（室内側）、及び、その反対側を後側（又は室外側）とする。
【００２１】
まず、図１を参照して、本発明による一実施形態の横型ブラインドについて説明する。図１は、本発明による一実施形態の横型ブラインドの概略構成を示す斜視図である。
【００２２】
図１に示すように、本実施形態の横型ブラインドは、ヘッドボックス１の長手方向における左端部側、中央部側、及び右端部側からそれぞれ吊下されるラダーコード７Ｌ，７Ｍ，７Ｒを介して多数段のスラット４が支持される。各ラダーコード７Ｌ，７Ｍ，７Ｒの下端にボトムレール８が吊下支持されている。また、室外側又は室内側のラダーコード７Ｌ，７Ｍ，７Ｒに併設して、複数の昇降コード６Ｌ，６Ｍ，６Ｒがヘッドボックス１から垂下され、その昇降コード６Ｌ，６Ｍ，６Ｒの下端にボトムレール８が取着されている。
【００２３】
多数段のスラット４の角度を調整する機構や、スラット４を昇降させる機構、並びに、これらの機構を操作する操作手段は様々な形態で実現することができるが、これらの機構は、本発明の主旨とは直接的には関係しないことから、その一例を簡潔に説明する。
【００２４】
ヘッドボックス１内にはラダーコード７Ｌ，７Ｍ，７Ｒ及び昇降コード６Ｌ，６Ｍ，６Ｒを吊下支持する支持部材１０Ｌ，１０Ｍ，１０Ｒが配設され、この支持部材１０Ｌ，１０Ｍ，１０Ｒには四角棒状の駆動軸１２が挿通されている（後述する図５（ｃ）参照）。このような支持部材１０Ｌ，１０Ｍ，１０Ｒにはチルトドラム（図示せず）が回転可能に支持され、このチルトドラムに当該駆動軸１２が相対回転不能に挿通されている。したがって、この駆動軸１２が回転されると、当該チルトドラムが回転し、ラダーコード７Ｌ，７Ｍ，７Ｒにより吊下支持された多数段のスラット４の角度が調整されるようになっている。
【００２５】
また、昇降コード６Ｌ，６Ｍ，６Ｒをヘッドボックス１内への引き込み又はヘッドボックス１からの引き出し可能にするために、当該支持部材１０Ｌ，１０Ｍ，１０Ｒには、当該駆動軸１２に対して相対回転不能に取着される巻取軸１１が設けられている（後述する図５（ｃ）参照）。したがって、この駆動軸１２が回転されると、当該チルトドラムが回転し、ラダーコード７Ｌ，７Ｍ，７Ｒにより吊下支持された多数段のスラット４の角度が水平方向に対して略垂直方向にチルトされた後、当該巻取軸１２による昇降コード６Ｌ，６Ｍ，６Ｒの巻取り、又は巻戻しが行われ、ボトムレール８を昇降させることによりスラット４を昇降させることができる。
【００２６】
ヘッドボックス１の右端部側には、当該駆動軸１２の回転を操作する操作プーリー（図示せず）が収容され、この操作プーリーに掛装される無端状の操作コード５が、ヘッドボックス１の右端部側の前面に設けられた導出口１ａから垂下される。また、ヘッドボックス１内には、当該駆動軸１２の回転をロック可能なストッパー装置が設けられる（図示せず）。したがって、操作コード５を操作することで、当該駆動軸１２の回転を操作し、当該支持部材１０Ｌ，１０Ｍ，１０Ｒを介してラダーコード７Ｌ，７Ｍ，７Ｒにより吊下支持された多数段のスラット４の角度を調整することや、昇降コード６Ｌ，６Ｍ，６Ｒにより多数段のスラット４を昇降させることができる。
【００２７】
本実施形態の横型ブラインドでは、ヘッドボックス１内に設けられた巻取軸１２から垂下される全ての昇降コード（本例では、６Ｌ，６Ｍ，６Ｒ）は、巻取軸１２の室外側周面から垂下されるようになっている（後述する図５（ｃ）参照）。ただし、支持部材１０Ｌ，１０Ｍ，１０Ｒの底部に設けられたそれぞれの滑車１３Ｌ，１３Ｍ，１３Ｒによって、巻取軸１２の室外側周面から滑車１３Ｌ，１３Ｍ，１３Ｒの室内側周面へと案内されて、スラット４に向かって垂下する構造となっている。この「滑車１３Ｌ，１３Ｍ，１３Ｒの室内側周面からの垂下」により、本発明では、スラット４の昇降性能を向上させているが、この詳細については、後述する。そして、図２に示すように、複数の昇降コード（本例では、６Ｌ，６Ｍ，６Ｒ）のうち各スラット４の長手方向（即ち、左右方向）の両端部から最近位置にてヘッドボックス１から垂下される昇降コード６Ｌ，６Ｒについては、各スラット４の短手方向（即ち、前後方向）の一縁部（室外側縁部）近傍に設けられた当該短手方向に延びる長孔状の挿通孔４ａに挿通して垂下するよう構成し、ボトムレール８の上面における室外側縁部近傍に設けられた貫通部８Ｌ，８Ｒを経て底面側に係止して取着される。また、当該各スラット４の長手方向（即ち、左右方向）の両端部から最近位置にて垂下される昇降コード６Ｌ，６Ｒ以外の昇降コードのうち少なくとも１本（即ち、本例では昇降コード６Ｍ）については、各スラット４の短手方向の他縁部（室内側縁部）に沿って垂下し、ボトムレール８の前側面に沿って底面に設けられた取付部８Ｍに係止して取着される。
【００２８】
この長孔状の挿通孔４ａは、各スラット４の短手方向の一縁部（室外側縁部）から各スラット４の短手方向の中央部までの範囲内で延びるよう形成されている。ただし、長孔状の挿通孔４ａは、各スラット４のチルト動作を妨げることなく、且つ各スラット４が遮蔽状態となるようチルトされる際に、各スラット４の縁部で少なくとも挿通孔４ａの一部、より好適には挿通孔４ａの全部が遮蔽される位置に形成するのが好適である。即ち、挿通孔４ａは、できる限り各スラット４の短手方向の一縁部（室外側縁部）近傍に設けることが好ましく、且つその孔面積ができる限り小さくなるように形成するのが好適である。
【００２９】
そして、各スラット４は、ヘッドボックス１の長手方向における複数個所に配設して吊下される一対のラダーコード７Ｌ（又は７Ｍ，７Ｒ）間に所定間隔で接続された横糸７ａ，７ｂに載置されてそれぞれ支持されている。
【００３０】
本実施形態の横型ブラインドでは、図３に示すように、スラット４の短手方向（即ち、前後方向）に互いに対向して一対のラダーコード７Ｌ（又は７Ｍ，７Ｒ）は、ヘッドボックス１から吊下されて、その一対のラダーコード７Ｌ（又は７Ｍ，７Ｒ）間におけるＸ字状に交差する横糸７ａ，７ｂが所定間隔で接続されている。本実施形態の横型ブラインドにおける各スラット４は、厚みのある木製等の屈曲不能な硬質材料からなる平板状の形態を有しており、この横糸７ａ，７ｂ上にスラット４が上乗せされている。
【００３１】
即ち、この硬質材料からなる平板状のスラット４を当該Ｘ字状に交差する横糸７ａ，７ｂ間に挿通しながら組み立てることは容易とは云えない。このため、この硬質材料からなる平板状のスラット４を当該Ｘ字状に交差する横糸７ａ，７ｂに上乗せするよう構成することで、組立性を改善させている。
【００３２】
そして、図３に示すように、複数段のスラット４に対して、昇降コード６Ｌ（又は６Ｒ）を所定段置き（図示する例では５段置き）に各横糸７ａ，７ｂに対して編み込むよう構成するのが好適である。また、昇降コード６Ｌ，６Ｒの各横糸７ａ，７ｂに対する編み込みは、スラット４毎に、その長手方向の中央部を基点として、互いに対称となるように編み込むのが好適である。例えば、図２に示すように、或るスラット４について、昇降コード６Ｌ，６Ｒは、対応する横糸７ａ，７ｂに対して当該中央部側に挿通する。別のスラット４については、昇降コード６Ｌ，６Ｍは、対応する横糸７ａ，７ｂに対して当該中央部とは逆の外縁部側に挿通する。
【００３３】
昇降コード６Ｍについては、同様に、多数段のスラット４に対して所定段置き（図示する例では５段置き）に各横糸７ａ，７ｂに対して編み込むよう構成することができるが、美観の観点から各横糸７ａ，７ｂ間に挿通するのが好ましい（図２参照）。或いは、連続する上下段のスラット４間で、各横糸７ａ，７ｂ間に編み込んで挿通する際に、上側スラット４では横糸７ａの右側且つ横糸７ｂの左側に昇降コード６Ｍを挿通し、下側スラット４では横糸７ａの左側且つ横糸７ｂの右側に昇降コード６Ｍを挿通して、編み込む態様とすることもできる（図示せず）。
【００３４】
このように、少なくとも昇降コード６Ｌ，６Ｍを所定段置きに各横糸７ａ，７ｂに対して編み込むよう構成することで、各横糸７ａ，７ｂに単にスラット４を上乗せした態様であっても、各スラット４の横ずれやねじれを抑制しつつ、その意匠性を向上させることができる。
【００３５】
また、ボトムレール８の上面に、複数の昇降コード６Ｌ，６Ｒの垂下位置に応じてそれぞれ貫通部８Ｌ，８Ｒを設けるようにしており、複数の昇降コード６Ｌ，６Ｒが、各スラット４（特に最上段のスラット４）の最大チルト量（全閉時及び全開時）時にも当該スラット４に対して低摩擦となる位置でボトムレール８の上面を経て取着されている。これにより、各スラット４の昇降動作やチルト動作を円滑化させることができる。
【００３６】
このチルト動作に関して、本実施形態の横型ブラインドでは、図４（ａ）に示すスラット４の水平状態時と比して、各スラット４の下降時には各スラット４の室内側縁部が上側となるようチルト動作し（図４（ｂ）参照）、一方、各スラット４の上昇時には各スラット４の室内側縁部が下側となるようチルト動作する（図４（ｃ）参照）。
【００３７】
従って、長孔状の挿通孔４ａを室外側縁部近傍に設けることで、各スラット４の縁部で少なくとも挿通孔４ａの一部、より好適には挿通孔４ａの全部が遮蔽されるようにして、当該挿通孔４ａからの光漏れを抑制し、外部光に対する遮蔽性を高めている。本例で示すスラット４の挿通孔４ａは、図３にて破線で示すように、各スラット４のチルト動作を伴う降下性能を向上させるべく、昇降コード６Ｌ（又は６Ｒ）とスラット４の挿通孔４ａとの間で摩擦による抵抗が大きくならないよう、深さ方向にテーパ４１が設けられている（後述する図５（ｃ）参照）。
【００３８】
図５（ａ），（ｂ）には、本実施形態の横型ブラインドにおける一実施例のスラットの長孔状の挿通孔の形状を説明する部分的な平面図とその断面図を示し、図５（ｃ）は、一実施例のスラットに対する昇降コードの垂下を説明する部分的な側面断面図を示している。本例におけるスラット４には、図５（ａ），（ｂ）に示すように、長孔状の挿通孔４ａを室外側縁部近傍に設け、且つ図５（ｃ）に示すように、深さ方向にテーパ４１が設けられている。
【００３９】
ここで、本実施形態の横型ブラインドでは、スラット４の昇降性能の向上、特にはスラット４の上昇時のバタツキを抑え、動的意匠性を向上させるべく、図５（ｃ）に示すように、当該挿通孔４ａに挿通される昇降コード６Ｌ（又は６Ｒ）は、支持部材１０Ｌ（又は１０Ｒ）の巻取軸１１の室外側周面から、支持部材１０Ｌ（又は１０Ｒ）の底部に設けられた滑車１３Ｌ（又は１３Ｒ）の室内側周面を経てスラット４に向かって垂下するよう案内する構造となっている。また、各スラット４の室内側縁部に沿って垂下される昇降コード６Ｍも、支持部材１０Ｍの巻取軸１１の室外側周面から、支持部材１０Ｍの底部に設けられた滑車１３Ｍの室内側周面を経てスラット４に向かって垂下するよう案内する構造となっている（図５（ｃ）に示す破線参照）。
【００４０】
まず、各スラット４のチルト動作を伴う降下性能を向上させるには、昇降コード６Ｌ（又は６Ｒ）とスラット４の挿通孔４ａとの間で摩擦による抵抗が大きくならないようにすることが重要となる。このため、本例のスラット４における長孔状の挿通孔４ａは、図５（ａ）,（ｂ）に示すように、各スラット４のチルト動作を伴う降下性能を向上させるべく、深さ方向にテーパ４１を設けているが、このテーパ４１は、降下時にチルトされる各スラット４に対して、長孔状の挿通孔４ａに挿通される昇降コード６Ｌ（又は６Ｒ）の挿通性を維持するよう傾斜している。
【００４１】
そして、各スラット４のチルト動作を伴う下降時には、図６（ａ）に示すように、長孔状の挿通孔４ａに挿通される昇降コード６Ｌ（又は６Ｒ）は、当該複数段のスラット４の降下時に、ヘッドボックス１（支持部材１０Ｌや１０Ｒ）からボトムレール８に向けて各スラット４（特に最上段のスラット４）に対して低摩擦で垂下されるよう滑車１３Ｌ（又は１３Ｒ）によって案内されるようになっている。
【００４２】
このように、挿通孔４ａにはテーパ４１が設けられているため、昇降コード６Ｌ（又は６Ｒ）とスラット４の挿通孔４ａとの間で摩擦による抵抗が大きくならない。そして、挿通孔４ａに挿通される昇降コード６Ｌ（又は６Ｒ）をヘッドボックス１（支持部材１０Ｌや１０Ｒ）からボトムレール８に向けて各スラット４（特に最上段のスラット４）に対して低摩擦で垂下されるよう構成することで、単に屈曲させて垂下させる場合よりもその降下性能を向上させることができる。
【００４３】
ここで、当該挿通孔４ａからの光漏れを抑制し、外部光に対する遮蔽性を高めるべく、各スラット４の短手方向（即ち、前後方向）の室外側縁部近傍に長孔状の挿通孔４ａを形成している。例えば、挿通孔４ａは、できる限り各スラット４の短手方向の一縁部（室外側縁部）近傍に設けることが好ましく、且つその孔面積ができる限り小さくなるように形成するのが好適であるが、これに起因にして、昇降コードと各スラット４との間で摩擦が生じやすくなる。特に、各スラット４のチルト動作を伴う上昇時には、挿通孔４ａの縁部と昇降コード６Ｌ（又は６Ｒ）とが干渉してしまうと、スラット４の上昇時にバタツキが生じ、その動的意匠性を劣化させることがある。
【００４４】
そこで、本実施形態に係る横型ブライドでは、図６（ｂ）に示すように、当該複数段のスラット４の上昇時においても、長孔状の挿通孔４ａに挿通される昇降コード６Ｌ（又は６Ｒ）は、ヘッドボックス１（支持部材１０Ｌや１０Ｒ）からボトムレール８に向けて各スラット４（特に最上段のスラット４）に対して低摩擦で垂下されるよう滑車１３Ｌ（又は１３Ｒ）によって案内されるように設定されている。
【００４５】
より具体的には、図７（ａ）に示す本発明に係る構成では、昇降コード６Ｌ（又は６Ｒ）の上昇時において、支持部材１０Ｌ（又は１０Ｒ）の巻取軸１１の室外側周面から、支持部材１０Ｌ（又は１０Ｒ）の底部に設けられた滑車１３Ｌ（又は１３Ｒ）の「室内側周面」を経てスラット４に向かって垂下するよう案内している。これにより、ヘッドボックス１（支持部材１０Ｌや１０Ｒ）から垂下される昇降コード６Ｌ（又は６Ｒ）は、最上段のスラット４の挿通孔４ａに対するその侵入角度として室内側から室外側へと向かうようになり（図示する矢印Ａ参照）、上昇時に回動したスラット４に対する昇降コード６Ｌ（又は６Ｒ）の移動が低摩擦となる。また、昇降コード６Ｌ（又は６Ｒ）をボトムレール８の上面を経て取着するよう構成することで、挿通孔４ａに挿通される昇降コード６Ｌ（又は６Ｒ）をヘッドボックス１（支持部材１０Ｌや１０Ｒ）からボトムレール８に向けて各スラット４に対して低摩擦で垂下させている。このため、昇降コード６Ｌ（又は６Ｒ）とスラット４の挿通孔４ａとの間で摩擦による抵抗が小さくなり、スラット４のバタツキが抑えられ、その動的意匠性を向上させることができる。
【００４６】
一方、図７（ｂ）に示す比較例に係る構成では、昇降コード６Ｌ（又は６Ｒ）の上昇時において、支持部材１０Ｌ（又は１０Ｒ）の巻取軸１１の室外側周面から、支持部材１０Ｌ（又は１０Ｒ）の底部に設けられた滑車１３Ｌ（又は１３Ｒ）の「室外側周面」を経てスラット４に向かって垂下するよう案内している。この場合、ヘッドボックス１（支持部材１０Ｌや１０Ｒ）から垂下される昇降コード６Ｌ（又は６Ｒ）は、最上段のスラット４の挿通孔４ａに対するその侵入角度として室外側から室内側へと向かうようになり（図示する矢印Ｂ参照）、チルト方向とは逆向きにスラット４が下方に押さえつけられ、上昇時に回動したスラット４に対する昇降コード６Ｌ（又は６Ｒ）の移動が高摩擦となり、スラット４のバタツキが大きく生じる。このように、挿通孔４ａに挿通される昇降コード６Ｌ（又は６Ｒ）をヘッドボックス１（支持部材１０Ｌや１０Ｒ）からボトムレール８に向けてその侵入角度を考慮せずに単に屈曲させて垂下させるだけでは、上昇時に回動したスラット４に対する昇降コード６Ｌ（又は６Ｒ）がより高摩擦となる。このため、昇降コード６Ｌ（又は６Ｒ）とスラット４の挿通孔４ａとの間で摩擦による抵抗が大きくなり、スラット４のバタツキが大きく生じ、その動的意匠性を損なうことになる。
【００４７】
即ち、本実施形態の横型ブラインドでは、昇降コード６Ｌ（又は６Ｒ）の下降時及び上昇時のいずれにおいても昇降コード６Ｌ（又は６Ｒ）とスラット４の挿通孔４ａとの間で摩擦による抵抗が大きくならないようにするために、挿通孔４ａに挿通される昇降コード６Ｌ（又は６Ｒ）をヘッドボックス１（支持部材１０Ｌや１０Ｒ）からボトムレール８に向けて各スラット４（特に最上段のスラット４）に対して低摩擦で垂下するよう構成することで、単に屈曲させて垂下させる場合よりもその昇降性能を向上させている。
【００４８】
また、上述した実施形態に示す例では、支持部材１０Ｌ，１０Ｒ，１０Ｍにおける巻取軸１１の室内側周面から、それぞれ滑車１３Ｌ，１３Ｒ，１３Ｍの室内側周面へと案内して垂下するよう構成したため、各スラット４（特に最上段のスラット４）に対して各昇降コードを低摩擦で垂下するよう構成するのが容易となっている。
【００４９】
尚、上述した実施形態に示す例では、スラット４の挿通孔４ａを室外側縁部近傍に設け、且つ挿通孔４ａにテーパ４１を設けた例を説明したが、昇降コード６Ｌ（又は６Ｒ）の下降時及び上昇時のいずれにおいても、その昇降性能を向上させるという観点からは、様々な他の実施例が想定される。
【００５０】
例えば、テーパを有しない挿通孔４ａとする場合（図８（ａ）参照）や、挿通孔４ａの室外側縁部を切り欠いて形成した切欠き４ｂとする場合（図８（ｂ）参照）、或いは、テーパを有しない切欠き４ｂとする場合などでも同様に、その昇降性能を向上させることができる。即ち、昇降コード６Ｌ（又は６Ｒ）の下降時及び上昇時のいずれにおいても、昇降コード６Ｌ（又は６Ｒ）とスラット４の挿通孔４ａ（或いは切欠き４ｂ）の形状に関わらず、各スラット４（特に最上段のスラット４）に対して各昇降コードを低摩擦で垂下するようヘッドボックス１（支持部材１０Ｌや１０Ｒ）からの昇降コード６Ｌ（又は６Ｒ）の垂下を案内し、且つボトムレール８の上面を経て取着するよう構成することで、その昇降性能を向上させることができる。
【００５１】
以上のように、本実施形態の横型ブラインドは、各スラット４の短手方向（即ち、前後方向）に互いに対向する一対のラダーコード７Ｌ，７Ｍ，７Ｒが、ヘッドボックス１の長手方向における複数個所に配設して吊下され、複数の昇降コード６Ｌ，６Ｍ，６Ｒが各一対のラダーコード７Ｌ，７Ｍ，７Ｒの近傍位置でヘッドボックス１から垂下され、少なくとも２本の昇降コード、好適には各スラット４の長手方向（即ち、左右方向）の両端部から最近位置にてヘッドボックス１から垂下される昇降コード６Ｌ，６Ｒについては、各スラットの短手方向の一縁部（室外側縁部）近傍又は中央部に設けられた当該短手方向に延びる長孔状の挿通孔４ａ、或いは室外側縁部近傍に設けられた切欠き４ｂに挿通して垂下し、当該昇降コード６Ｌ，６Ｒ以外の昇降コードのうち少なくとも１本（即ち、本例では昇降コード６Ｍ）は、各スラット４の他縁部（室内側縁部）に沿って垂下するよう構成する際に、昇降コード６Ｌ（又は６Ｒ）をヘッドボックス１（支持部材１０Ｌや１０Ｒ）からボトムレール８に向けて各スラット４（特に最上段のスラット４）に対して各昇降コードを低摩擦で垂下するよう構成する。これにより、スラット４の昇降性能を向上させることができる。
【００５２】
また、本実施形態の横型ブラインドでは、複数段のスラット４を厚みのある平板状の硬質材料で構成し、一対のラダーコード７Ｌ，７Ｍ，７Ｒ間に所定間隔で接続され横糸７ａ，７ｂ上に載置されるように構成したので、スラット４の昇降性能を向上させた上で、その組立性が改善される。尚、本発明に係るスラット４の昇降性能を向上させる作用・効果は、複数段のスラット４を厚みのある平板状の硬質材料で構成した際に顕著であるが、屈曲させた薄板状のスラットでも同様の作用・効果を生じさせる。
【００５３】
また、本実施形態の横型ブラインドでは、挿通孔４ａ（又は切欠き４ｂ）に、深さ方向にテーパ４１を設けるように構成したので、スラット４の降下性能を向上させることができる。特に、テーパ４１は、降下時にチルトされる各スラット４に対して、挿通孔４ａ（又は切欠き４ｂ）に挿通される昇降コード６Ｌ，６Ｒの挿通性を維持するよう傾斜しているため、スラット４の降下性能をより向上させることができる。
【００５４】
また、本実施形態の横型ブラインドでは、挿通孔４ａ（又は切欠き４ｂ）を、複数段のスラット４の各々の短手方向の一縁部（本例では、室外側縁部）近傍に設けるよう構成したので、スラット４の昇降性能を向上させた上で、この挿通孔４ａ（又は切欠き４ｂ）からの遮蔽時の光漏れを抑制することができる。
【００５５】
また、本実施形態の横型ブラインドでは、複数の昇降コード６Ｌ，６Ｒ，６Ｍを、それぞれの当該昇降コード６Ｌ，６Ｒ，６Ｍの巻取軸１１の室外側周面から巻取軸１１の下方に設けられた垂下部材（滑車１３Ｌ，１３Ｍ，１３Ｒ等）の室内側周面に当接して案内させ、ヘッドボックス１から垂下するよう構成したので、スラット４の昇降性能を向上させた上で、支持部材１０Ｌ，１０Ｍ，１０Ｒを共通化させることができる。
【００５６】
尚、横型ブラインドの用途によって長孔状の挿通孔４ａ又は切欠き４ｂの位置（例えば、室外側縁部近傍とする代わりに、室内側縁部近傍とする）を変更してもよく、前述した実施形態の例は好適例であり、これに限定する必要はない。
【００５７】
以上、特定の実施形態の例を挙げて本発明を説明したが、本発明は前述の実施形態の例に限定されるものではなく、その技術思想を逸脱しない範囲で種々変形可能である。例えば、Ｘ字状に交差する横糸７ａ，７ｂを例示して説明したが、横糸７ａ，７ｂが交差せずに平行であってもよく、１本の横糸としてもよい。
【００５８】
また、前述した実施形態の横型ブラインドにおいて、滑車１３Ｌ，１３Ｍ，１３Ｒを用いて昇降コード６Ｌ，６Ｍ，６Ｒの垂下を案内する例を説明したが、滑車１３Ｌ，１３Ｍ，１３Ｒを垂下部材とする代わりに、例えば棒状の案内棒で当該垂下部材を構成してもよい。
【００５９】
また、前述した実施形態の横型ブラインドにおいて、操作コード５による操作とする代わりに、外部スイッチ等からの操作により電動で動作するよう構成してもよい。また、「昇降コード」とは、紐状やテープ状のものを含む。
【産業上の利用可能性】
【００６０】
本発明によれば、スラットの昇降性能を向上させることができるので、複数の昇降コードを利用する横型ブラインドの用途に有用である。
【符号の説明】
【００６１】
１  ヘッドボックス
１ａ  導出口
４  スラット
４ａ  挿通孔
４ｂ  切欠き
５  操作コード
６Ｌ，６Ｍ，６Ｒ  昇降コード
７Ｌ，７Ｍ，７Ｒ  ラダーコード
７ａ，７ｂ  横糸
８  ボトムレール
８Ｌ，８Ｒ  貫通部
８Ｍ  取付部
１０Ｌ，１０Ｍ，１０Ｒ  支持部材
１３Ｌ，１３Ｍ，１３Ｒ  滑車
１１  巻取軸
１２  駆動軸
４１  挿通孔のテーパ
【図１】
2016211338.tif 000003
【図２】
2016211338.tif 000004
【図３】
2016211338.tif 000005
【図４】
2016211338.tif 000006
【図５】
2016211338.tif 000007
【図６】
2016211338.tif 000008
【図７】
2016211338.tif 000009
【図８】
2016211338.tif 000010